(57)【要約】【課題】  通信機能を持っていない普通の受信装置と、デジタル放送の受信機能を持っていない普通の移動端末装置を利用することにより、地上波デジタルテレビ放送のデータ放送を享受できるようにする。【解決手段】  受信装置は、番組情報およびコンテンツデータを識別するためのデータ放送を受信中に、ブックマーク取込スイッチがオンされたときは、そのデータ放送のブックマークを抽出し、そのブックマークをメモリカード１１２に記憶する。メモリカード１１２にコンテンツデータが記憶されている場合には、そのコンテンツデータを読み出して表示部１０６に表示する。携帯電話装置は、メモリカード１１２に記憶されたブックマークに基づいて、ネットワークに接続してコンテンツデータを取得し、そのコンテンツデータをメモリカード１１２に記憶する。【選択図】  図１
2007318191.tif 000002
【特許請求の範囲】
【請求項１】
デジタル放送を受信する受信装置およびネットワークに接続可能な通信機能を有する移動端末装置を利用した放送情報管理システムであって、
前記受信装置は、
番組情報および番組の関連情報を識別するための付加情報を受信中に、所定の操作が行われたときは、当該付加情報を抽出する情報抽出手段と、
前記情報抽出手段によって抽出された付加情報を記憶媒体に記憶する記憶制御手段と、
前記記憶媒体に番組の関連情報が記憶されている場合には、その関連情報を読み出して表示手段に表示する表示制御手段と、
を備え、
前記移動端末装置は、
前記受信装置の記憶媒体に記憶された付加情報の中から操作に応じて指定された付加情報を検索する情報検索手段と、
前記情報検索手段によって検索された付加情報に基づいて、ネットワークに接続して番組の関連情報を取得する通信制御手段と、
前記通信制御手段によって取得された番組の関連情報を前記記憶媒体に記憶する記憶制御手段と、
を備えたことを特徴とする放送情報管理システム。
【請求項２】
前記受信装置において前記情報抽出手段は、付加情報に含まれるネットワーク上のアドレス情報を抽出し、前記移動端末装置において前記通信制御手段は、前記情報検索手段によって検索された前記記憶媒体のアドレス情報に基づいて番組の関連情報を取得することを特徴とする請求項１に記載の放送情報管理システム。
【請求項３】
前記受信装置において前記情報抽出手段は、付加情報に含まれる番組名情報を抽出し、前記移動端末装置において前記通信制御手段は、前記情報検索手段によって検索された前記記憶媒体の番組名情報に基づいて番組の関連情報を取得することを特徴とする請求項１に記載の放送情報管理システム。
【請求項４】
前記受信装置において前記情報抽出手段は、付加情報に含まれる現在日時情報およびチャンネル情報を抽出し、前記移動端末装置において前記通信制御手段は、前記情報検索手段によって検索された前記記憶媒体の現在日時情報およびチャンネル情報に基づいて電子番組表情報を取得し、さらにその電子番組表情報の番組名に基づいて番組の関連情報を取得することを特徴とする請求項１に記載の放送情報管理システム。
【請求項５】
前記記憶媒体は、前記受信装置および前記移動端末装置に共通に着脱可能に装着されることを特徴とする請求項１ないし４のいずれか１項に記載の放送情報管理システム。
【請求項６】
デジタル放送を受信する受信装置およびネットワークに接続可能な通信機能を有する移動端末装置を利用した放送情報管理方法であって、
前記受信装置は、
番組情報および番組の関連情報を識別するための付加情報を受信中に、所定の操作が行われたときは、当該付加情報を抽出するステップＡと、
前記ステップＡによって抽出された付加情報を記憶媒体に記憶するステップＢと、
前記記憶媒体に番組の関連情報が記憶されている場合には、その関連情報を読み出して表示手段に表示するステップＣと、
を実行し、
前記移動端末装置は、
前記受信装置の記憶媒体に記憶された付加情報の中から操作に応じて指定された付加情報を検索するステップＤと、
前記ステップＤによって検索された付加情報に基づいて、ネットワークに接続して番組の関連情報を取得するステップＥと、
前記ステップＥによって取得された番組の関連情報を前記記憶媒体に記憶するステップＦと、
を実行することを特徴とする放送情報管理方法。
【請求項７】
前記受信装置において前記ステップＡは、付加情報に含まれるネットワーク上のアドレス情報を抽出し、前記移動端末装置において前記ステップＥは、前記ステップＤによって検索された前記記憶媒体のアドレス情報に基づいて番組の関連情報を取得することを特徴とする請求項６に記載の放送情報管理方法。
【請求項８】
前記受信装置において前記ステップＡは、付加情報に含まれる番組名情報を抽出し、前記移動端末装置において前記ステップＥは、前記ステップＤによって検索された前記記憶媒体の番組名情報に基づいて番組の関連情報を取得することを特徴とする請求項６に記載の放送情報管理方法。
【請求項９】
前記受信装置において前記ステップＡは、付加情報に含まれる現在日時情報およびチャンネル情報を抽出し、前記移動端末装置において前記ステップＥは、前記ステップＤによって検索された前記記憶媒体の現在日時情報およびチャンネル情報に基づいて電子番組表情報を取得し、さらにその電子番組表情報の番組名に基づいて番組の関連情報を取得することを特徴とする請求項６に記載の放送情報管理方法。
【請求項１０】
前記記憶媒体は、前記受信装置および前記移動端末装置に共通に着脱可能に装着されることを特徴とする請求項６ないし９のいずれか１項に記載の放送情報管理方法。
【発明の詳細な説明】
【技術分野】
【０００１】
本発明は、放送情報管理システムおよび放送情報管理方法に関し、特に、デジタル放送の番組の関連情報を管理する放送情報管理システムおよび放送情報管理方法に関するものである。
【背景技術】
【０００２】
通信衛星や放送衛星を利用したデジタルテレビ放送、あるいは、２０１１年からアナログ放送に代わって全面的に放送が開始される地上波デジタル放送、又はデジタルラジオ放送においては、主情報である映像情報や音声情報の他に、様々な付加情報をサービスするデータ放送が含まれている。そこで、受信するデータ放送の中からユーザの所望する情報を選択して取得するための提案がある。例えば、インターネットで気に入ったサイトのページや頻繁にアクセスするページを登録しておくブラウザのＷｅｂページ閲覧機能であるブックマーク機能を利用するものがある。ブックマーク機能によれば、表示されているＷｅｂページのＵＲＬ（Uniform Resource Locator）をユーザの操作に基づいて、日常用語などのショートカットに対応付けて登録し、リスト表示されたショートカットの中から所望のリストを選択するだけで、対応するＵＲＬのページにアクセスすることができるので、データ放送に対するアクセスツールとして注目されている。
【０００３】
例えば、ブックマーク機能を利用する提案の受信機によれば、いちいち記録ボタンを押すなどの面倒な操作をしなくても、ユーザの必要とする付加情報を確実に記録収集できる。この提案の受信機は、音声情報に付加情報が多重されたデジタルラジオ放送を受信するものであり、番組の受信中に記録ボタンを押すと、受信中の番組の付加情報がブックマークデータとしてメモリに記録され、メモリに付加情報が記録されている状態で呼出操作をすると、メモリから付加情報が読み出されてＬＣＤに表示される。さらに、ＬＣＤ上に付加情報が表示された状態でタッチペンをタッチパネル上にタッチさせて付加情報の一部の文字列を指定すると、その指定された文字列がキーワードとして設定される。受信機のシステムコントローラは、受信する番組の付加情報にそのキーワードが含まれているときは、その付加情報をメモリに記録する。（特許文献１参照）
また、ブックマーク機能を利用する他の提案の携帯電話機等によれば、デジタル放送のＣＭ等の放送関連情報のうち見たいもののみを携帯電話機で選択し、パソコン等のネットワーク接続機器で簡単に再現ことができる。この提案の携帯電話機は、衛星デジタル放送網を通じてデジタルＴＶを受信してＣＭに関連したＵＲＬ情報を抽出し、携帯電話機内部の記憶部に記憶する。携帯電話機のクレードルは、パソコンに接続されており、クレードルに携帯電話機を接続すると記憶部に記憶されているデータをパソコン内部の記憶部に転送する。パソコンは受信したＵＲＬ情報をブックマーク等に登録する。ユーザは登録されたＵＲＬ情報を選択してインターネットを介してCM情報データベースにアクセスする。（特許文献２参照）
【０００４】
一方、デジタルテレビ放送の付加情報として、電子番組表情報（ＥＰＧ）がある。この電子番組表情報を利用して録画予約を行う提案がなされている。例えば、メモリカードを利用する提案の録画予約システムによれば、電子番組表情報を受信した場合に、その情報をデコードする回路を備えなくても、電子番組表情報を用いて録画予約作業を行うことができる。この提案の録画予約システムは、入力された電子番組表情報から電子番組表を取得するとともに、記録手段に記録する機能を備えた情報受信手段と、記録手段から電子番組表を読み込む機能を備える録画手段とからなり、録画手段は、記録手段から読み込んだ電子番組表を用いて録画予約を実施する。（特許文献３参照）
【特許文献１】特開２００２−２１７７６１号公報
【特許文献２】特開２００５−０２０３４５号公報
【特許文献３】特開２００４−３６３８８１号公報
【発明の開示】
【発明が解決しようとする課題】
【０００５】
しかしながら、上記特許文献１の場合には、記録した付加情報や付加情報の一部であるキーワードに基づいて、ホームページ等にアクセスして番組の関連情報を得ることはできない。特許文献２の場合には、デジタルテレビ放送を受信可能なチューナや容量の大きい電池を備えた高価な携帯電話機が必要である。特許文献３の場合には、メモリカードを利用して録画予約を行うことは可能であるが、電子番組表情報以外の付加情報、例えば、出演者のホームページのＵＲＬやイベント情報、又は、音楽番組において放送される曲名やアーチスト名などを取得することはできない。
すなわち、上記引用文献１乃至引用文献３を含む従来のシステムの場合には、現在最も普及している通信機能を持っていない普通の受信装置、および、デジタル放送の受信機能を持っていない普通の携帯電話装置などの移動端末装置のユーザ資源を有効に活用して、デジタル放送の付加情報を享受できる環境にはなっていない。
本発明は、このような従来の課題を解決するためのものであり、通信機能を持っていない普通の受信装置と、デジタル放送の受信機能を持っていない普通の移動端末装置を利用することにより、衛星デジタルテレビ放送や地上波デジタルテレビ放送およびデジタルラジオ放送の付加情報であるデータ放送を享受できるようにすることを目的とする。
【課題を解決するための手段】
【０００６】
請求項１に記載の放送情報管理システムは、デジタル放送を受信する受信装置（実施形態においては、地上波デジタル放送の受信装置に相当する）およびネットワークに接続可能な通信機能を有する移動端末装置（実施形態においては、携帯電話装置に相当する）を利用した放送情報管理システムであって、
受信装置は、番組情報（実施形態においては、地上波デジタル放送の番組情報に相当する）および番組の関連情報（実施形態においては、データ放送のコンテンツデータに相当する）を識別するための付加情報（第１実施形態においては、データ放送のブックマーク、第２実施形態においては、番組名又は日時およびチャンネル番号に相当する）を受信中に、所定の操作が行われたときは、当該付加情報を抽出する情報抽出手段（実施形態においては、図１のＣＰＵ１０７に相当する）と、情報抽出手段によって抽出された付加情報を記憶媒体に記憶する記憶制御手段（実施形態においては、図１のＣＰＵ１０７に相当する）と、記憶媒体に番組の関連情報が記憶されている場合には、その関連情報を読み出して表示手段（実施形態においては、図１の表示部１０６に相当する）に表示する表示制御手段（実施形態においては、図１のＣＰＵ１０７に相当する）と、を備え、
移動端末装置は、受信装置の記憶媒体に記憶された付加情報の中から操作に応じて指定された付加情報を検索する情報検索手段（実施形態においては、図２のＣＰＵ２０１に相当する）と、情報検索手段によって検索された付加情報に基づいて、ネットワークに接続して番組の関連情報を取得する通信制御手段（実施形態においては、図２のＣＰＵ２０１および通信部２０８に相当する）と、通信制御手段によって取得された番組の関連情報を記憶媒体に記憶する記憶制御手段（実施形態においては、図２のＣＰＵ２０１に相当する）と、を備えた構成になっている。
【０００７】
請求項１の放送情報管理システムにおいて、請求項２に記載したように、受信装置において情報抽出手段は、付加情報に含まれるネットワーク上のアドレス情報を抽出し、移動端末装置において通信制御手段は、情報検索手段によって検索された記憶媒体のアドレス情報に基づいて番組の関連情報を取得するような構成にしてもよい。
【０００８】
請求項１の放送情報管理システムにおいて、請求項３に記載したように、受信装置において情報抽出手段は、付加情報に含まれる番組名情報を抽出し、移動端末装置において通信制御手段は、情報検索手段によって検索された記憶媒体の番組名情報に基づいて番組の関連情報を取得することを特徴とする請求項１に記載の放送情報管理システム。
【０００９】
請求項１の放送情報管理システムにおいて、請求項４に記載したように、受信装置において情報抽出手段は、付加情報に含まれる現在日時情報およびチャンネル情報を抽出し、移動端末装置において通信制御手段は、情報検索手段によって検索された記憶媒体の現在日時情報およびチャンネル情報に基づいて電子番組表情報を取得し、さらにその電子番組表情報の番組名に基づいて番組の関連情報を取得するような構成にしてもよい。
【００１０】
請求項１乃至４のいずれかの放送情報管理システムにおいて、請求項５に記載したように、記憶媒体（実施形態においては、図１および図２のメモリカード１１２に相当する）は、受信装置および移動端末装置に共通に着脱可能に装着されるような構成にしてもよい。
【００１１】
請求項６に記載の放送情報管理方法は、デジタル放送を受信する受信装置（実施形態においては、地上波デジタル放送の受信装置に相当する）およびネットワークに接続可能な通信機能を有する移動端末装置（実施形態においては、携帯電話装置に相当する）を利用した放送情報管理方法であって、
受信装置は、番組情報（実施形態においては、地上波デジタル放送の番組情報に相当する）および番組の関連情報（実施形態においては、データ放送のコンテンツデータに相当する）を識別するための付加情報（第１実施形態においては、データ放送のブックマーク、第２実施形態においては、番組名又は日時およびチャンネル番号に相当する）を受信中に、所定の操作が行われたときは、当該付加情報を抽出するステップＡと、ステップＡによって抽出された付加情報を記憶媒体に記憶するステップＢと、記憶媒体に番組の関連情報が記憶されている場合には、その関連情報を読み出して表示手段（実施形態においては、図１の表示部１０６に相当する）に表示するステップＣと、を実行し、
移動端末装置は、受信装置の記憶媒体に記憶された付加情報の中から操作に応じて指定された付加情報を検索するステップＤと、ステップＤによって検索された付加情報に基づいて、ネットワークに接続して番組の関連情報を取得するステップＥと、ステップＥによって取得された番組の関連情報を記憶媒体に記憶するステップＦと、を実行する構成になっている。
【００１２】
請求項６の放送情報管理方法において、請求項７に記載したように、受信装置においてステップＡは、付加情報に含まれるネットワーク上のアドレス情報を抽出し、移動端末装置においてステップＥは、ステップＤによって検索された記憶媒体のアドレス情報に基づいて番組の関連情報を取得するような構成にしてもよい。
【００１３】
請求項６の放送情報管理方法において、請求項８に記載したように、受信装置においてステップＡは、付加情報に含まれる番組名情報を抽出し、移動端末装置においてステップＥは、ステップＤによって検索された記憶媒体の番組名情報に基づいて番組の関連情報を取得するような構成にしてもよい。
【００１４】
請求項６の放送情報管理方法において、請求項９に記載したように、受信装置においてステップＡは、付加情報に含まれる現在日時情報およびチャンネル情報を抽出し、移動端末装置においてステップＥは、ステップＤによって検索された記憶媒体の現在日時情報およびチャンネル情報に基づいて電子番組表情報を取得し、さらにその電子番組表情報の番組名に基づいて番組の関連情報を取得するような構成にしてもよい。
【００１５】
請求項６乃至９のいずれかの放送情報管理方法において、請求項１０に記載したように、記憶媒体（実施形態においては、図１および図２のメモリカード１１２に相当する）は、受信装置および移動端末装置に共通に着脱可能に装着されるような構成にしてもよい。
【発明の効果】
【００１６】
本発明の装置によれば、通信機能を持っていない普通の受信装置と、デジタル放送の受信機能を持っていない普通の移動端末装置を利用することにより、衛星デジタルテレビ放送や地上波デジタルテレビ放送およびデジタルラジオ放送の付加情報であるデータ放送を享受できるという効果が得られる。
【発明を実施するための最良の形態】
【００１７】
以下、本発明の放送情報管理システムおよび放送情報管理方法の第１実施形態および第２実施形態について、地上波デジタル放送を受信する受信装置の他に、移動端末装置として広く普及している携帯電話装置を利用した場合を例に採って、図を参照して詳細に説明する。
図１は、各実施形態における地上波デジタル放送を受信する受信装置の構成を示す概略ブロック図である。この受信装置は、再生系すなわちＴＶ部および制御系で構成されている。まず、ＴＶ部について説明する。図１において、アンテナ１０１は、地上波デジタル放送の高周波信号の電波を受信して受信回路１０２に入力する。受信回路１０２は、アンテナ１０１から入力された高周波信号を増幅し、制御系からのチャンネル選択コマンドに応じて特定の放送局の高周波信号を選択して、復調・復号回路１０３に入力する。復調・復号回路１０３は、ＯＦＤＭ変調された高周波信号を復調し、さらに、ベースバンド信号に復号化して、番組放送の映像情報、音声情報、およびデータ放送の文字情報に分離し、表示制御回路１０４に入力する。表示制御回路１０４は、音声情報に対してＤ／Ａ変換処理や増幅処理を施して発音部１０５に出力し、映像情報および文字情報に対して色・輝度分離処理、Ｄ／Ａ変換処理、増幅処理などを施して表示部１０６に出力する。
【００１８】
次に、制御系について説明する。図１において、ＣＰＵ１０７は、システムバスを介して上記のＴＶ部と接続されるとともに、プログラムＲＯＭ１０８、ワークＲＡＭ１０９、スイッチ回路１１０、および、カードインターフェース（Ｉ／Ｆ）１１１と接続されており、各部との間でデータおよびコマンドを授受しながらこの装置全体を制御する。すなわち、スイッチ回路１１０のチャンネル選択操作に応じて、受信回路１０２に対してチャンネル選択コマンドを送出し、スイッチ回路１１０の取込操作に応じて、復調・復号回路１０３からデータ放送の文字情報を取り込む。プログラムＲＯＭ１０８は、ＣＰＵ１０７によって実行される放送情報管理方法のプログラムやその他の制御プログラムをあらかじめ記憶している。ワークＲＡＭ１０９は、ＣＰＵ１０７によって処理される各種のデータを一時的に記憶する。スイッチ回路１１０は、装置本体のスイッチ群の操作内容および赤外線によって受信するリモコン（図示せず）の操作内容をＣＰＵ１０７に入力する。カードインターフェース１１１は、着脱可能に装着されるメモリカード１１２に対して、ＣＰＵ１０７からの書込コマンドに応じてデータを記憶し、ＣＰＵ１０７からの読出コマンドに応じてデータを読み出す。
【００１９】
図２は、各実施形態における携帯電話装置の構成を示す概略ブロック図である。図１において、ＣＰＵ２０１は、システムバス２０２を介して、プログラムＲＯＭ２０３、ワークＲＡＭ２０４、表示部２０５、キーボード部２０６、カードインターフェース（Ｉ／Ｆ）２０７、および通信部２０８に接続され、これら各部との間でデータおよびコマンドを授受しながらこの装置全体を制御する。プログラムＲＯＭ２０３は、ＣＰＵ２０１によって実行される制御プログラムをあらかじめ記憶している。ワークＲＡＭ２０４は、ＣＰＵ２０１によって処理される各種のデータを一時的に記憶する。表示部２０５は、ＣＰＵ２０１によって入力されるデータを表示する。キーボード部２０６は、操作内容をＣＰＵ２０１に入力する。カードインターフェース２０７は、着脱可能に装着される受信装置と共通のメモリカード１１２に対して、ＣＰＵ２０１からの書込コマンドに応じてデータを記憶し、ＣＰＵ２０１からの読出コマンドに応じてデータを読み出す。通信部２０８は、インターネットなどのネットワークを介して、地上波デジタル放送のサイトにアクセスして、番組の関連情報を取得することができる。取得された関連情報は、ＣＰＵ２０１からの書込コマンドに応じて、カードインターフェース２０７によってメモリカード１１２に記憶される。
なお、携帯電話装置の電話機能やメール機能などの通常の構成については、本発明に直接関係しないので説明は省略する。
【００２０】
図３は、メモリカード１１２に記憶された番組の関連情報のデータフォーマットを示す図である。図３（Ａ）は、データ放送にブックマークがある場合の第１実施形態におけるデータフォーマットであり、ＩＤ、ブックマーク、およびコンテンツデータで構成されている。図３（Ｂ）は、データ放送にブックマークがない場合の第２実施形態におけるデータフォーマットであり、ＩＤ、チャンネル、放送の日時、番組名、およびコンテンツデータで構成されている。
【００２１】
次に、第１実施形態における放送情報管理システムによって実行される放送情報管理方法について説明する。
まず、受信装置の動作について、ＣＰＵ１０７によって実行される図４乃至図６に示すフローチャートに基づいて説明する。
図４において、ＣＰＵ１０７は、所定のイニシャライズ（ステップＳＡ１）の後、ＴＶ部を起動し（ステップＳＡ２）、ＴＶ部よりデータ放送を取得する（ステップＳＡ３）。次に、ＣＰＵ１０７は、スイッチ回路１１０のチャンネルスイッチがオンされたか否かを判別し（ステップＳＡ４）、このスイッチがオンされたときは、そのチャンネル番号をレジスタＣＨにストアし（ステップＳＡ５）、ＣＨのチャンネル番号に対応した周波数をチャンネル選択コマンドとしてＴＶ部に供給する（ステップＳＡ６）。ＣＰＵ１０７はまた、スイッチ回路１１０のブックマーク取込スイッチがオンされたか否かを判別し（ステップＳＡ７）、このスイッチがオンされたときは、メモリカード１１２が装着されているか否かを判別し（ステップＳＡ８）、メモリカード１１２が装着されている場合には、取得したデータ放送を検索し（ステップＳＡ９）、ブックマークがあるか否かを判別する（ステップＳＡ１０）。
【００２２】
ＣＰＵ１０７は、データ放送にブックマークがある場合には、図５のフローチャートにおいて、ブックマーク用のＩＤを作成し（ステップＳＡ１１）、そのＩＤとともにメモリカード１１２にブックマークをストアする（ステップＳＡ１２）。ＣＰＵ１０７は、図４のステップＳＡ７においてブックマーク取込スイッチがオンでない場合には、図５のフローチャートにおいて、取得したデータ放送にブックマークがあるか否かを判別し（ステップＳＡ１３）、ブックマークがある場合には、ブックマーク指定スイッチがオンされたか否かを判別し（ステップＳＡ１４）、このスイッチがオンされたときは、メモリカード１１２が装着されているか否かを判別し（ステップＳＡ１５）、装着されている場合には、メモリカード１１２内のコンテンツを検索する（ステップＳＡ１６）。そして、指定されたブックマークに対応するコンテンツデータがあるか否かを判別する（ステップＳＡ１７）。
【００２３】
ＣＰＵ１０７は、メモリカード１１２内に指定されたブックマークに対応するコンテンツデータがデータ放送にある場合には、ＴＶ部の表示制御回路１０４にコマンドを送付して表示部１０６にコンテンツデータの内容を表示させる（ステップＳＡ１９）。コンテンツデータが表示されている状態において、ＣＰＵ１０７は、スイッチ回路１１０のオフスイッチがオンされたか否かを判別し（ステップＳＡ２０）、このスイッチがオンされたときは、表示制御回路１０４にコマンドを送付して表示部１０６のコンテンツデータを消去させ（ステップＳＡ２１）、図４のステップＳＡ３においてＴＶ部よりデータ放送を新たに取得する。
【００２４】
図５のステップＳＡ１３において、取得したデータ放送にブックマークがない場合、又は、ステップＳＡ１４において、ブックマーク指定スイッチがオンでない場合、又は、ステップＳＡ１７において、指定されたブックマークに対応するコンテンツデータがない場合には、ＣＰＵ１０７は、図６のフローチャートにおいて、スイッチ回路１１０のブックマークリストスイッチがオンされたか否かを判別し（ステップＳＡ２２）、このスイッチがオンされたときは、メモリカード１１２が装着されているか否かを判別する（ステップＳＡ２３）。メモリカード１１２が装着されている場合には、ＣＰＵ１０７は、さらに、メモリカード１１２内に少なくとも１つのコンテンツデータがあるか否かを判別し（ステップＳＡ２４）、コンテンツデータがある場合には、対応するブックマークを読み出して（ステップＳＡ２５）、ブックマークリストの画面を作成する（ステップＳＡ２６）。
【００２５】
次に、ＣＰＵ１０７は、作成したブックマークリストの画面のデータおよびコマンドをＴＶ部の表示制御回路１０４に送付して、表示部１０６に表示させる（ステップＳＡ２７）。ブックマークリストの画面が表示されている状態で、ＣＰＵ１０７は、リスト内のいずれかのブックマークがスイッチ回路１１０のスイッチによって指定されたか否かを判別し（ステップＳＡ２８）、ブックマークが指定されたときは、その指定されたブックマークに対応するコンテンツデータを読み出して（ステップＳＡ２９）、そのコンテンツデータおよびコマンドをＴＶ部の表示制御回路１０４に送付して、表示部１０６に表示させる（ステップＳＡ３０）。そのコンテンツデータが表示されている状態で、ＣＰＵ１０７は、スイッチ回路１１０のオフスイッチがオンされたか否かを判別し（ステップＳＡ３１）、このスイッチがオンされたときは、表示制御回路１０４にコマンドを送付して表示部１０６のコンテンツデータを消去させ（ステップＳＡ３２）、ステップＳＡ２７において、再びコマンドをＴＶ部の表示制御回路１０４に送付して、表示部１０６にブックマークリストの画面を表示させる。
【００２６】
ステップＳＡ２８において、リスト内のブックマークの指定がされない場合には、ＣＰＵ１０７は、スイッチ回路１１０のオフスイッチがオンされたか否かを判別し（ステップＳＡ３３）、このスイッチがオンされたときは、表示制御回路１０４にコマンドを送付して表示部１０６のコンテンツデータを消去させ（ステップＳＡ３４）、図４のステップＳＡ３においてＴＶ部よりデータ放送を新たに取得する。
【００２７】
次に、携帯電話装置の動作について、ＣＰＵ２０１によって実行される図７のフローチャートに基づいて説明する。
ＣＰＵ２０１は、所定のイニシャライズ（ステップＳＢ１）の後、キーボード部２０６のメモリカード読出スイッチの操作に応じて、メモリカード１１２が装着されているか否かを判別し（ステップＳＢ２）、装着されている場合には、そのメモリカード１１２内にブックマークがあるか否かを判別する（ステップＳＢ３）。メモリカード１１２内にブックマークがある場合には、ＣＰＵ２０１はさらに、コンテンツデータのないブックマークがあるか否かを判別し（ステップＳＢ４）、そのようなブックマークがある場合には、ブックマークのアドレス情報、例えば、ＷｅｂページのＵＲＬに基づいて、通信部２０８を介して地上波デジタル放送のサイトにアクセスして、対応するブックマークに基づきコンテンツデータをダウンロードして（ステップＳＢ５）、ダウンロードしたコンテンツデータをブックマークに対応してメモリカード１１２にストアする（ステップＳＢ６）。
【００２８】
この後は、ＣＰＵ２０１はステップＳＢ４において、他にコンテンツデータのないブックマークがあるか否かを判別し、コンテンツデータのないブックマークがある場合には、そのようなコンテンツデータをダウンロードして、ブックマーク対応してメモリカード１１２にストアする処理を繰り返す。
ステップＳＢ２において、メモリカード１１２が装着されていない場合、又は、ステップＳＢ３において、メモリカード１１２内にブックマークがない場合には、その他の処理、例えば、電話はメールの着信処理、キーボード部２０６の操作に応じた処理などを行う（ステップＳＢ７）。
【００２９】
以上のように、上記第１実施形態によれば、受信装置は、番組情報およびコンテンツデータを識別するためのデータ放送を受信中に、スイッチ回路１１０のブックマーク取込スイッチがオンされたときは、そのデータ放送のブックマークを抽出し、抽出されたブックマークをＩＤとともにメモリカード１１２に記憶する。
一方、携帯電話装置は、受信装置から外されて装着されたメモリカード１１２に記憶されたブックマークの中から、キーボード部２０６の操作に応じて指定されたブックマークを検索し、検索されたブックマークに基づいて、通信部２０８によってネットワークに接続してコンテンツデータを取得し、取得されたコンテンツデータをメモリカード１１２に記憶する。この後は、メモリカード１１２を外して受信装置に装着する。受信装置は、装着されたメモリカード１１２にコンテンツデータが記憶されている場合には、そのコンテンツデータを読み出して表示部１０６に表示する。
したがって、通信機能を持っていない普通の受信装置と、デジタル放送の受信機能を持っていない普通の携帯電話装置を利用することにより、地上波デジタルテレビ放送の付加情報であるデータ放送を享受できる。
【００３０】
次に、第２実施形態における放送情報管理方法について説明する。
まず、受信装置の動作について、ＣＰＵ１０７によって実行される図８乃至図１０に示すフローチャート、および、図４に示した第１実施形態のフローチャートの一部に基づいて説明する。
図４において、ＣＰＵ１０７は、所定のイニシャライズ（ステップＳＡ１）の後、ＴＶ部を起動し（ステップＳＡ２）、ＴＶ部よりデータ放送を取得する（ステップＳＡ３）。次に、ＣＰＵ１０７は、スイッチ回路１１０のチャンネルスイッチがオンされたか否かを判別し（ステップＳＡ４）、このスイッチがオンされたときは、そのチャンネル番号をレジスタＣＨにストアし（ステップＳＡ５）、ＣＨのチャンネル番号に対応した周波数をチャンネル選択コマンドとしてＴＶ部に供給する（ステップＳＡ６）。
【００３１】
ＣＰＵ１０７はまた、図８のフローチャートにおいて、スイッチ回路１１０のコンテンツ取込スイッチがオンされたか否かを判別し（ステップＳＡ４１）、このスイッチがオンされたときは、メモリカード１１２が装着されているか否かを判別し（ステップＳＡ４２）、メモリカード１１２が装着されている場合には、現在日時を取得し（ステップＳＡ４３）、チャンネル番号を取得し（ステップＳＡ４４）、データ放送に番組名があるか否かを判別する（ステップＳＡ４５）。
【００３２】
ＣＰＵ１０７は、データ放送に番組名がある場合には、その番組名を取得し（ステップＳＡ４６）、ＩＤを作成し（ステップＳＡ４７）、そのＩＤとともにメモリカード１１２に番組名をストアする（ステップＳＡ４８ａ）。一方、ＣＰＵ１０７は、データ放送に番組名がない場合には、ＩＤを作成し（ステップＳＡ４７ｂ）、そのＩＤとともにメモリカード１１２に日時およびチャンネル番号をストアする（ステップＳＡ４８ｃ）。ＣＰＵ１０７は、ステップＳＡ４１においてコンテンツ取込スイッチがオンでない場合には、スイッチ回路１１０のコンテンツ表示スイッチがオンされたか否かを判別し（ステップＳＡ４９）、このスイッチがオンされたときは、メモリカード１１２が装着されているか否かを判別し（ステップＳＡ５０）、装着されている場合には、データ放送に番組名があるか否かを判別し（ステップＳＡ５１）、データ放送に番組名がある場合には、その番組名を取得し（ステップＳＡ５２）、さらに、メモリカード１１２内の番組名を検索する（ステップＳＡ５３）。
【００３３】
次に、ＣＰＵ１０７は、図９のフローチャートにおいて、メモリカード１１２内に既に同一の番組名があるか否かを判別し（ステップＳＡ５４）、同一の番組名がある場合には、さらに、その番組名に対応するコンテンツデータがメモリカード１１２内にあるか否かを判別する（ステップＳＡ５５）。そして、対応するコンテンツデータがある場合には、メモリカード１１２よりそのコンテンツデータを読み出して（ステップＳＡ５６）、表示制御回路１０４にコンテンツデータおよびコマンドを送付して、そのコンテンツデータを表示部１０６に表示させる（ステップＳＡ５７）。コンテンツデータ内容が表示されている状態において、ＣＰＵ１０７は、スイッチ回路１１０のオフスイッチがオンされたか否かを判別し（ステップＳＡ５８）、このスイッチがオンされたときは、表示制御回路１０４にコマンドを送付して表示部１０６のコンテンツデータを消去させる（ステップＳＡ５９）。
【００３４】
ＣＰＵ１０７は、図８のステップＳＡ４９において、コンテンツ表示スイッチがオンでない場合には、図１０のフローチャートにおいて、スイッチ回路１１０の番組名リストスイッチがオンされたか否かを判別し（ステップＳＡ６０）、このスイッチがオンされたときは、メモリカード１１２が装着されているか否かを判別する（ステップＳＡ６１）。メモリカード１１２が装着されている場合には、ＣＰＵ１０７は、さらに、メモリカード１１２内にコンテンツデータがあるか否かを判別し（ステップＳＡ６２）、コンテンツデータがある場合には、対応する番組名を読み出し（ステップＳＡ６３）、番組名リストの画面を作成する（ステップＳＡ６４）。
【００３５】
次に、ＣＰＵ１０７は、作成した番組名リストの画面のデータおよびコマンドをＴＶ部の表示制御回路１０４に送付して、表示部１０６に表示させる（ステップＳＡ６５）。番組名リストの画面が表示されている状態で、ＣＰＵ１０７は、リスト内のいずれかの番組名がスイッチ回路１１０のスイッチによって指定されたか否かを判別し（ステップＳＡ６６）、番組名が指定されたときは、その指定された番組名に対応するコンテンツデータを読み出して（ステップＳＡ６７）、そのコンテンツデータの内容およびコマンドをＴＶ部の表示制御回路１０４に送付して、表示部１０６に表示させる（ステップＳＡ６８）。そのコンテンツデータが表示されている状態で、ＣＰＵ１０７は、スイッチ回路１１０のオフスイッチがオンされたか否かを判別し（ステップＳＡ６９）、このスイッチがオンされたときは、表示制御回路１０４にコマンドを送付して表示部１０６のコンテンツデータを消去させ（ステップＳＡ７０）、ステップＳＡ６５において、再びコマンドをＴＶ部の表示制御回路１０４に送付して、表示部１０６に番組名リストの画面を表示させる。
【００３６】
ステップＳＡ６６において、リスト内の番組名の指定がされない場合には、ＣＰＵ１０７は、スイッチ回路１１０のオフスイッチがオンされたか否かを判別し（ステップＳＡ７１）、このスイッチがオンされたときは、表示制御回路１０４にコマンドを送付して表示部１０６のコンテンツデータを消去させ（ステップＳＡ７２）、図４のステップＳＡ３においてＴＶ部よりデータ放送を新たに取得する。
【００３７】
次に、携帯電話装置の動作について、ＣＰＵ２０１によって実行される図１１のフローチャートに基づいて説明する。
ＣＰＵ２０１は、所定のイニシャライズ（ステップＳＢ１１）の後、キーボード部２０６のメモリカード読出スイッチの操作に応じて、メモリカード１１２が装着されているか否かを判別し（ステップＳＢ１２）、メモリカード１１２が装着されていない場合には、その他の処理、例えば、電話やメールの着信処理、キーボード部２０６の操作に応じた発信処理などを行う（ステップＳＢ１３）。一方、メモリカード１１２が装着されている場合には、所定のID、例えば、図３（Ｂ）の最初の番組名（１）のＩＤを指定して（ステップＳＢ１４）、そのＩＤに対応する番組名がメモリカード１１２内にあるか否かを判別する（ステップＳＢ１５）。メモリカード１１２内にその番組名がある場合には、ＣＰＵ２０１はさらに、その番組名に対応するコンテンツデータがあるか否かを判別する（ステップＳＢ１６）。
【００３８】
ステップＳＢ１５において、指定したＩＤに対応する番組名がない場合には、ＣＰＵ２０１は、メモリカード１１２よりチャンネル番号および日時を読み出して（ステップＳＢ１７）、チャンネル番号および日時により、通信部２０８を介して地上波デジタル放送のサイトにアクセスして、対応するＥＰＧ（電子番組表情報）を取得し（ステップＳＢ１８）、取得したＥＰＧより番組名を取得して（ステップＳＢ１９）、メモリカード１１２にストアする（ステップＳＢ２０）。
【００３９】
ＣＰＵ２０１は、ステップＳＢ１６において、番組名に対応するコンテンツデータがメモリカード１１２にある場合、又は、ステップＳＢ２０において、ＥＰＧに基づいて取得した番組名をメモリカード１１２にストアした後は、ＥＰＧに含まれているアドレス情報、例えば、ＷｅｂページのＵＲＬに基づいて、通信部２０８を介して地上波デジタル放送のサイトにアクセスして、番組名に対応したコンテンツデータをダウンロードして（ステップＳＢ２１）、ダウンロードしたコンテンツデータを番組名に対応してメモリカード１１２にストアする（ステップＳＢ２２）。
【００４０】
ステップＳＢ２２において、コンテンツデータを番組名に対応してメモリカード１１２にストアした後、又は、ステップＳＢ１６において、通信部２０８を介してアクセスした地上波デジタル放送のサイトに、番組名に対応したコンテンツデータがない場合には、ＣＰＵ２０１は、全てのＩＤについて、番組名に対応したコンテンツデータの全ての検索処理が終了したか否かを判別し（ステップＳＢ２３）、まだ検索していないＩＤが残っている場合には、残りのＩＤの１つを指定して（ステップＳＢ２４）、ステップＳＢ１５に移行し、全ての検索処理が終了するまで上記の処理を繰り返す。
【００４１】
以上のように、上記第２実施形態によれば、受信装置は、番組情報およびコンテンツデータを識別するためのデータ放送を受信中に、スイッチ回路１１０のコンテンツ取込スイッチがオンされたときは、そのデータ放送に番組名がある場合には、その番組名をＩＤとともにメモリカード１１２に記憶し、そのデータ放送に番組名がない場合には、日時およびチャンネル番号をＩＤとともにメモリカード１１２に記憶する。
一方、携帯電話装置は、受信装置から外されて装着されたメモリカード１１２に記憶された番組名又は日時およびチャンネル番号に基づいて、通信部２０８によってネットワークに接続してコンテンツデータを取得し、取得されたコンテンツデータをメモリカード１１２に記憶する。この後は、メモリカード１１２を外して再び受信装置に装着する。受信装置は、装着されたメモリカード１１２に番組の関連情報が記憶されている場合には、その関連情報を読み出して表示部１０６に表示する。
したがって、通信機能を持っていない普通の受信装置と、デジタル放送の受信機能を持っていない普通の移動端末装置を利用することにより、地上波デジタルテレビ放送の付加情報であるデータ放送を享受できる。
【００４２】
なお、上記各実施形態においては、地上波デジタル放送の付加情報であるデータ放送を受信する場合について本発明を説明したが、受信するデジタル放送は地上波デジタル放送に限定されるものではない。放送衛星（ＢＳ）若しくは通信衛星（ＣＳ）の衛星デジタルテレビ放送又はデジタルラジオ放送を受信する場合も同様に、そのデジタル放送の付加情報であるデータ放送を享受できる。
【００４３】
また、上記各実施形態においては、移動端末装置として携帯電話装置を例に採って本発明を説明したが、移動端末装置は携帯電話装置に限定されるものではない。インターネットなどのネットワークにアクセスすることが可能なＰＨＳやＰＤＡ（Personal Digital Assistants）などの他の移動端末装置を利用することによっても、本発明の放送番組管理システムを実現できることは明らかである。
【００４４】
また、上記各実施形態においては、受信装置および携帯電話装置に着脱可能な記憶媒体として、メモリカードを例に採って本発明を説明したが、例えば、ＵＳＢインターフェースを受信装置および携帯電話装置に設けて、ＵＳＢタイプのメモリチップを記憶媒体としてもよい。あるいは、受信装置と携帯電話装置との間をＵＳＢケーブルやＩＥＥＥ１３９４ケーブルによって接続可能とし、それぞれのワークＲＡＭとの間でデータを送受信する構成にしてもよい。
すなわち、図１の受信装置のワークＲＡＭ１０９にストアされたブックマークを携帯電話装置のワークＲＡＭ２０４に転送し、携帯電話装置は、そのブックマークに基づいてコンテンツデータをダウンロードして、ワークＲＡＭ２０８にストアする。この後、ワークＲＡＭ２０８のコンテンツデータを携帯電話装置から受信装置のワークＲＡＭ１０９に転送して、表示制御回路１０４によって表示部１０６に表示する。
このような構成によっても、上記各実施形態と同様に、通信機能を持っていない普通の受信装置と、デジタル放送の受信機能を持っていない普通の移動端末装置を利用することにより、地上波デジタルテレビ放送の付加情報であるデータ放送を享受できる。
【００４５】
要するに、上記各実施形態は本発明を実現するための一例に過ぎず、この明細書に添付した特許請求の範囲に記載された技術的思想を逸脱しない限り、上記各実施形態に基づいて当業者が容易に想到できり様々な他の実施形態や変形例についても本発明に含まれる。
【図面の簡単な説明】
【００４６】
【図１】本発明の第１および第２実施形態における受信装置の構成を示す概略ブロック図。
【図２】本発明の第１および第２実施形態における携帯電話装置の構成を示す概略ブロック図。
【図３】図１および図２のメモリカードにおけるデータフォーマットを示す図。
【図４】本発明の第１実施形態における受信装置の動作を示すフローチャート。
【図５】図４に続く受信装置の動作を示すフローチャート。
【図６】図５に続く受信装置の動作を示すフローチャート。
【図７】本発明の第１実施形態における携帯電話装置の動作を示すフローチャート。
【図８】本発明の第２実施形態における受信装置の動作を示すフローチャート。
【図９】図８に続く受信装置の動作を示すフローチャート。
【図１０】図９に続く受信装置の動作を示すフローチャート。
【図１１】本発明の第２実施形態における携帯電話装置の動作を示すフローチャート。
【符号の説明】
【００４７】
１０１  アンテナ
１０２  受信回路
１０３  復調・復号回路
１０４  表示制御回路
１０５  発音部
１０６  表示部
１０７  ＣＰＵ
１０８  プログラムＲＯＭ
１０９  ワークＲＡＭ
１１０  スイッチ回路
１１１  カードインターフェース
１１２  メモリカード
２０１  ＣＰＵ
２０３  プログラムＲＯＭ
２０４  ワークＲＡＭ
２０５  表示部
２０６  キーボード部
２０７  カードインターフェース
２０８  通信部
【図１】
2007318191.tif 000003
【図２】
2007318191.tif 000004
【図３】
2007318191.tif 000005
【図４】
2007318191.tif 000006
【図５】
2007318191.tif 000007
【図６】
2007318191.tif 000008
【図７】
2007318191.tif 000009
【図８】
2007318191.tif 000010
【図９】
2007318191.tif 000011
【図１０】
2007318191.tif 000012
【図１１】
2007318191.tif 000013